(57)【要約】  【課題】  本発明は、くつべらを使用しなくても容易に履くことの可能な靴１や、両手がふさがれた状態であっても、煩雑に靴を脱いだり履いたりする作業が容易であって、足の動きの素早い作業をしても脱げることのない靴２を提供することにある。  さらに、一旦腰をかけた状態にならず、立ったままで履いたり脱いたりできるブーツ３を提供することにある。  【解決手段】  甲被かかと部１ｇ、２ｇにファスナ１ｆ、２ｆを取り付け、ファスナ１ｆ、２ｆを解放して履くことにより、つま先を甲被前部１ｂ、２ｂに挿入することを容易にした靴１、２とする。  さらに、始点２ｈから終点２ｋにかけた線で折り曲げ、甲被かかと部２ｇの上部及び甲被横部２ｃの上部とからなる概略三角形状の折り返し２ｍを構成するようにする。  また、甲被部３ｃのかかと部３ｇから筒部３ｎのふくらはぎ部３ｍにかけてファスナ３ｆを取り付けたブーツ３とする。  【選択図】            図２
2006130284.tif 000002
【特許請求の範囲】
【請求項１】
靴底と甲被とを有する靴であって、甲被かかと部にファスナを取り付けたことを特徴とする靴。
【請求項２】
靴底と甲被とを有する靴であって、甲被かかと部にファスナを取り付け、前記ファスナを解放したときに、前記ファスナ上の点であって前記靴底の上面から適宜離れた点である始点から、甲被横部の最上端の点である終点にかけた線で折れ曲がり、前記甲被かかと部の上部及び前記甲被横部の上部とからなる概略三角形状の折り返しを構成するように、前記甲被を仕付けたことを特徴とする靴。
【請求項３】
靴底と甲被とを有する靴であって、甲被かかと部にファスナを取り付け、前記ファスナを解放し、前記ファスナ上の点であって前記靴底の上面から適宜離れた点である始点から、前記甲被横部の最上端の点である終点にかけた線で折り曲げて、前記甲被かかと部の上部及び前記甲被横部の上部とからなる概略三角形状の折り返しを構成したときに、前記甲被かかと部の上部を前記甲被横部に固定する固着具を設けたことを特徴とする靴。
【請求項４】
請求項３に記載した靴であって、面ファスナーからなる固着具を設けたことを特徴とする靴。
【請求項５】
請求項３に記載した靴であって、マグネットのＳ極とＮ極の組み合わせ又はマグネットと磁性体の組み合わせの、いずれかの組み合わせからなる固着具を設けたことを特徴とする靴。
【請求項６】
請求項３に記載した靴であって、ホックのオスとメスの組み合わせ、フックとフック掛けの組み合わせ又は子鉤と子鉤掛けの組み合わせの、いずれかの組み合わせからなる固着具を設けたことを特徴とする靴。
【請求項７】
請求項２〜請求項６のいずれかに記載した靴であって、靴底の上面からファスナ上の始点までの高さを１０〜２０ｍｍとしたことを特徴とする靴。
【請求項８】
足のくるぶしから下の部分を包む甲被部と足のすねの部分を包む筒部とを有するブーツであって、前記甲被部のかかと部から前記筒部のふくらはぎ部にかけてファスナを取り付けたことを特徴とするブーツ。
【発明の詳細な説明】
【技術分野】
【０００１】
本発明は靴及びブーツに係り、特にかかと部にファスナを取り付け、さらに、甲被かかと部の上部及び甲被横部の上部とからなる概略三角形状の折り返しを構成して、履いたり脱いだりする作業を容易にした靴及びブーツに関するものである。
【背景技術】
【０００２】
従来の靴は履いたり脱いだりすることが容易でなかった。靴の足入口につま先を入れた後につま先を甲被前部に挿入するときに、甲被かかと部が邪魔となり足のかかとに押されて甲被かかと部が内側に折れてしまうからである。
通常はくつべらなどを使用して靴を履く作業が行われているが、両手にものを持った状態で靴を履くときには、一旦持ったものを何かに預けなくてはならず不便であった。
特に、頻繁に靴を脱いだり履いたりする作業を行う場合は、くつべらを出し入れしたり手に持ったものを一旦預ける動作が煩わしいため、靴をきちっと履かずに作業していた。
このとき、足のつま先は甲被前部に挿入するが、足のかかとで甲被かかと部を踏んだ状態となるので、甲被かかと部がひしゃげて見苦しい靴になってしまう問題があった。作業中は特に気にすることはなくても、見苦しくなった靴を履いたまま顧客に会ったり、改まった場所に出席することはできなかった。
また、靴をきちんと履かないで作業すると靴が脱げ安くなる問題があった。足のかかとを甲被かかと部で制限していないため、スリッパを履いた状態で作業する場合と同様となり、素早く足を動かすと靴が脱げてしまうからである。このため、足の動きの素早い作業ができなくなる問題があった。
靴にファスナを取り付けた発明としては甲被の前部側面にスライドファスナを取り付けた発明（例えば、特許文献１参照）があるが、係る位置にファスナを取り付けてもせいぜいくつべらを使用して靴を履く作業を容易にする程度の効果しか得られず、くつべらを使用しないで靴を履く作業を容易にするまでの効果は得られなかった。
【０００３】
また、従来のブーツには側面にファスナがついているものがあったが、かかと部にファスナを取り付けたブーツはなかった。このため、ブーツを履くときは一旦腰をかけた状態になって、ブーツを履いたり脱いだりする必用があった。
足先を甲被前部に挿入出するときには、つま先を前後に向かって移動させる必用があるが、従来のブーツでは足を前後に移動させる余裕がないからである。
一旦腰をかけなければ履いたり脱いだりする作業ができない従来のブーツでは、出かける先の状況によってブーツを履くことをあきらめたり、出先でブーツを履いたり脱いだりするときに、必要以上にスペースや時間を要して他人に迷惑をかける問題があった。
【特許文献１】特開２００３−１８０４０５号公報（第１〜５図）
【発明の開示】
【発明が解決しようとする課題】
【０００４】
本発明は、上記した問題を解決するためになされたもので、履くときに甲被かかと部の上部が邪魔とならない靴であって、くつべらを使用しなくても靴を履く作業を容易にした靴を提供することにある。
特に、手を使うことなく履いたり脱いだりする作業を容易にした靴であって、両手がふさがれた状態であっても容易に履いたり脱いだりできる靴を提供することにある。
また、甲被かかと部がひしゃげることがなく見苦しさのない靴として、顧客に会ったり改まった場所に出かけるときに履き替える必用のない靴を提供することにある。
また、煩雑に靴を脱いだり履いたりする作業が容易な靴であって、足の動きの素早い作業をしても靴が脱げることのない靴を提供することにある。
さらに、一旦腰をかけた状態にならず立ったままで、履いたり脱いだりすることのできるブーツを提供することにある。
【課題を解決するための手段】
【０００５】
本発明は、甲被かかと部にファスナを取り付けた靴とする。また、足のくるぶしから下の部分を包む甲被部のかかと部から、足のすねの部分を包む筒部のふくらはぎ部にかけてファスナを取り付けたブーツとする。ファスナを解放して履いたり脱いだりすることにより、つま先を甲被前部に挿入出することが容易になるからである。
【発明の効果】
【０００６】
甲被かかと部にファスナを取り付け、ファスナを解放して履くことを可能とした靴としたので、つま先を甲被前部に挿入するときに甲被かかと部が邪魔にならず、くつべらを使用しなくても履くことを容易にした靴を提供することができた。
また、予め甲被かかと部及び甲被横部の上部を折り曲げた状態に仕付けた靴としたので、両手にものを持った状態であっても、そのまま手を使うことなく履いたり脱いだりする作業を行うことのできる靴を提供することができた。
また、手を使うことなく甲被かかと部を踏まずに、履いたり脱いだりすることのできる靴としたので、甲被かかと部がひしゃげることはない。そして、ファスナを閉じれば通常の靴の形状に戻るので、顧客に会ったり改まった場所に出かけるときにわざわざ履き替える必用のない靴を提供することができた。
また、甲被かかと部の下部及び甲被横部の下部により足のかかとを保持する効果の得られる靴としたので、煩雑に靴を脱いだり履いたりする作業が容易な靴であって、足の動きの素早い作業をしても脱げることのない靴を提供することができた。
さらに、甲被部のかかと部から筒部のふくらはぎ部にかけてファスナを取り付けたブーツとしたので、ファスナを解放してブーツを履いたり脱いだりすれば、足のつま先を甲被前部に挿入出するときに、つま先を前後に向かって移動させることは可能である。このため、立ったまま履いたり脱いだりすることのできるブーツを提供することができた。
【発明を実施するための最良の形態】
【０００７】
請求項１の発明は、靴底と甲被とを有する靴であって、甲被かかと部にファスナを取り付けた靴とする。ファスナを閉じた状態にすれば普通の靴と同じ状態を維持することが可能なため、顧客や初対面の人に合ったり、改まった場所を訪れたり、急に出張を命じられて出かけるときなどに靴を履き替える必用はない。
一方、ファスナを解放した状態にすれば、靴を履くときに足のかかとに押されて甲被かかと部が開くため、くつべらを使うことなく容易に靴を履くことができる。
請求項２の発明は、靴底と甲被とを有する靴であって、甲被かかと部にファスナを取り付け、前記ファスナを解放したときに、前記甲被かかと部の上部及び甲被横部の上部とからなる概略三角形状の折り返しを構成するように、前記甲被を仕付けた靴とする。
そして、概略三角形状の前記折り返しは、前記ファスナ上の点であって前記靴底の上面から適宜離れた点を始点とし、甲被横部の最上端の点である終点にかけた線で折り曲げたものとする。
前記始点は前記靴底の上面から１０〜２０ｍｍ離れた点とすることが好ましく、さらには１３〜１７ｍｍとすることが好ましい。容易に履いたり脱いだりできる靴であって、足の動きの素早い作業をしても靴が脱げることのない靴とするためである。  
一方、前記終点の位置についてはこだわるものではないが、ファスナの上端から３０〜７０ｍｍ離れた位置にすることが好ましい。
請求項３の発明は、靴底と甲被とを有する靴であって、甲被かかと部にファスナを取り付け、前記ファスナを解放して、前記甲被かかと部の上部及び甲被横部の上部とからなる概略三角形状の折り返しを構成したときに、前記甲被かかと部の上部を前記甲被横部に固定する固着具を設けた靴とする。
このとき、前記甲被かかと部の上部及び甲被横部の上部を折り曲げる始点及び終点については請求項２の発明と同様とする。固着具としては、面ファスナー（通常マジックテープ（登録商標）と呼ばれている）、マグネット、ホック、フックとフック掛けの組み合わせ又は子鉤と子鉤掛けの組み合わせからなる固着具などが好ましい。
固着具により概略三角形状の折り返しを止めることにより、請求項２の発明に対してさらに確実に、容易に履いたり脱いだりできる靴であって、足の動きの素早い作業をしても靴が脱げることのない靴とすることができる。
【０００８】
請求項４の発明は、請求項３に記載した靴であって、面ファスナーからなる固着具を設けた靴とする。
面ファスナーの片方を甲被かかと部の上部に、面ファスナーの他方を甲被横部の下部に、それぞれ取り付けることにより概略三角形状の折り返しを前記甲被横部の下部に固着することができる。
請求項５の発明は、請求項３に記載した靴であって、マグネットのＮ極とＳ極の組み合わせ又はマグネットと磁性体の組み合わせの、いずれかの組み合わせからなる固着具を設けた靴とする。
前記組み合わせの片方を甲被かかと部の上部に、前記組み合わせの他方を甲被横部の下部に、それぞれ取り付けることにより概略三角形状の折り返しを前記甲被横部の下部に固着することができる。
請求項６の発明は、請求項３に記載した靴であって、ホックのオスとメスの組み合わせ、フックとフック掛けの組み合わせ又は子鉤と子鉤掛けの組み合わせの、いずれかの組み合わせからなる固着具を設けた靴とする。
ホックの片方、フック、子鉤を甲被かかと部の上部に、また、ホックの他方、フック掛け、子鉤掛けを甲被横部の下部に、それぞれ取り付けることにより概略三角形状の折り返しを前記甲被横部の下部に固着することができる。
請求項７の発明は、請求項２〜請求項６のいずれかに記載した靴であって、靴底の上面
からファスナ上の始点までの高さを１０〜２０ｍｍとした靴とする。
上記したように、前記始点は前記靴底の上面から１０〜２０ｍｍ離れた点とすることが好ましく、さらには１３〜１７ｍｍとすることが好ましいからである。
請求項８の発明は、足のくるぶしから下の部分を包む甲被部と足のすねの部分を包む筒部とを有するブーツであって、前記甲被部のかかと部から前記筒部のふくらはぎ部にかけてファスナを取り付けたブーツとする。
ファスナを解放してブーツを履いたり脱いだりすることにより、足のつま先を甲被前部に挿入出するときに足を前後に移動させることができ、立ったままブーツを履いたり脱いだりすることができるからである。
【実施例１】
【０００９】
以下、本発明の実施例１を図１に示し説明する。実施例１の靴１は靴底１ｄと靴底１ｄの上に取り付けた甲被と甲被前部１ｂの下に取り付けたタン１ｅを有している。甲被は甲被前部１ｂ、甲被横部１ｃ、甲被かかと部１ｇなどからなり、足入口１ａを囲うように構成した。さらに、甲被かかと部１ｇを分割しファスナ１ｆを取り付けた。
実施例１の靴を履くときは、足入口１ａにつま先を入れた後に、甲被前部１ｂ及びタン１ｅの下につま先を挿入するが、予めファスナ１ｆを解放しておけば甲被かかと部１ｇの上部が足のかかとに押されて開くため、くつべらを使わなくとも容易に靴を履くことができる。
【実施例２】
【００１０】
次に、本発明の実施例２を図２に示し説明する。実施例２の靴２は靴底２ｄと靴底２ｄの上に取り付けた甲被と甲被前部２ｂの下に取り付けたタン２ｅを有している。甲被は甲被前部２ｂ、甲被横部２ｃ、甲被かかと部２ｇなどからなり、足入口２ａを囲うように構成した。さらに、甲被かかと部２ｇを分割しファスナ２ｆを取り付けた。
また、ファスナ２ｆの上の点であって靴底２ｄの上面から（Ｈ＝１５ｍｍ）離れた点を始点２ｈとして、甲被横部２ｃの最上端の点である終点２ｋにかけた線で折り曲げ、甲被かかと部２ｇの上部及び甲被横部２ｃの上部とからなる概略三角形状の折り返し２ｍを構成するようにした。
また、甲被かかと部２ｇの上部に面ファスナー２ｊの片方を、甲被横部２ｃの下部に面ファスナー２ｊの他方をそれぞれ取り付けて、概略三角形状の折り返し２ｍを甲被横部２ｃの下部に固着するようにした。
概略三角形状の折り返し２ｍを設けることにより、甲被かかと部２ｇの上部及び甲被横部２ｃの上部が邪魔にならず、容易に履いたり脱いだりできる靴とすることができる。また甲被かかと部２ｇの下部及び甲被横部２ｃの下部が足を拘束するので、足の動きの素早い作業をしても靴が脱げることはない。
もちろん、概略三角形の折り返し２ｍの折り曲げを仕付けるだけでも効果は大きいが、固着具を設ける方がより確実にな効果を得ることができる。
固定具としては、マグネット、ホック、フックとフック掛けの組み合わせ又は子鉤と子鉤掛けの組み合わせからなる固着具とすることも可能である。
【実施例３】
【００１１】
次に、本発明の実施例３を図３に示し説明する。実施例３のブーツ３はブーツ底３ｄと、足のくるぶしから下の部分を包む甲被部３ｃと足のすねの部分を包む筒部３ｎとを有するブーツ３であって、甲被部３ｃのかかと部３ｇから筒部３ｎのふくらはぎ部３ｍにかけてファスナ３ｆを取り付けたブーツ３とする。
実施例３のブーツ３では、ファスナ３ｆを解放してブーツ３を履いたり脱いだりすることにより、足のつま先を甲被前部３ｂに挿入出するときに足を前後に移動させることが可能となり、立ったままブーツ３を履いたり脱いだりすることができる。
【産業上の利用可能性】
【００１２】
本発明は、靴やブーツを製造したり販売する産業、頻繁に靴を履いたり脱いだりする必用のある、建設関連の産業などで利用される。
【図面の簡単な説明】
【００１３】
【図１】実施例１の靴の全体斜視図である。
【図２】実施例２の靴の全体斜視図である。
【図３】実施例３のブーツの全体斜視図である。
【符号の説明】
【００１４】
１  ：靴                    １ａ：足入口                １ｂ：甲被前部
１ｃ：甲被横部              １ｄ：靴底                  １ｅ：タン
１ｆ：ファスナ              １ｇ：甲被かかと部          
２  ：靴                    ２ａ：足入口                ２ｂ：甲被前部
２ｃ：甲被横部              ２ｄ：靴底                  ２ｅ：タン
２ｆ：ファスナ              ２ｇ：甲被かかと部          ２ｈ：始点
２ｊ：面ファスナー          ２ｋ：終点                  ２ｍ：折り返し
３  ：ブーツ                ３ｂ：甲被前部              ３ｃ：甲被部
３ｄ：ブーツ底              ３ｆ：ファスナ              ３ｇ：かかと部
３ｍ：ふくらはぎ部          ３ｎ：筒部
【図１】
2006130284.tif 000003
【図２】
2006130284.tif 000004
【図３】
2006130284.tif 000005